(57)【要約】【課題】使用性と安全性が向上し、かつ、安価で省エネ効果の高い冷蔵庫を提供する。【解決手段】携帯端末２２との間でＲＦＩＤ無線通信を行う無線送受信部２１と、扉開閉を検知する扉開閉検出部２３と、前記扉開閉検出部のカウント回数データを記憶する情報記憶部２８と、冷蔵庫の温度設定を制御する制御部とを備え、前記無線通信部は前記情報記憶部のデータを携帯端末に送信するとともに、携帯端末から制御データを受信した場合には、前記制御部は前記制御データに基づいて制御内容を変更する構成としてある。これにより、通信実施時には、冷蔵庫自体に携帯端末をタッチさせるので、操作に迷うことがなく安心して使用できるとともに、携帯端末と直接データを送受信するため安全性も向上し、しかも、安価に提供でき、加えて、使用者は冷蔵庫自体の運転が低消費電力運転となるように条件変更することができ、大いなる省エネ効果が期待できる。【選択図】図５
2013238343.tif 000002
【特許請求の範囲】
【請求項１】
携帯端末とＲＦＩＤ無線通信を行う冷蔵庫であって、携帯端末との間でＲＦＩＤ無線通信を行う無線送受信部と、扉開閉を検知する扉開閉検出部と、前記扉開閉検出部のカウント回数データ或いは扉開成時間の少なくともいずれか一方のデータを記憶する情報記憶部と、冷蔵庫の温度設定を制御する制御部とを備え、前記無線送受信部は前記情報記憶部のデータを携帯端末に送信するとともに、携帯端末から制御データを受信した場合には、前記制御部は前記制御データに基づいて制御内容を変更する冷蔵庫。
【請求項２】
制御データは扉開閉検出部のカウント回数データ或いは扉開成時間等の冷蔵庫情報に基づくものとした請求項１記載の冷蔵庫。
【請求項３】
制御データは冷蔵庫が設置されている環境情報或いは使用者情報に基づくものとした請求項１記載の冷蔵庫。
【請求項４】
冷蔵庫情報である扉開閉のカウント回数或いは扉開成時間の少なくともいずれか一方が多い時の制御データは設定温度を高目とするデータである請求項２記載の冷蔵庫。
【請求項５】
冷蔵庫情報である扉開閉のカウント数或いは扉開成時間の少なくともいずれか一方が少ない時の制御データは設定温度を低目とするデータである請求項２または４記載の冷蔵庫。
【請求項６】
扉開閉検出部からの扉開閉回数あるいは開成時間の前日データを記憶する前日情報記憶部を更に備え、前記前日情報記憶部からの情報に基づき扉開閉が多くなる時間帯の所定時間前に設定温度を高めとする制御データを制御部に出力する請求項１〜５のいずれか１項記載の冷蔵庫。
【請求項７】
冷蔵庫の異常検出部を更に備え、前記異常検出部が異常を検出しているとき制御部は携帯端末から制御データを受信しても制御内容の変更を行わない請求項１〜６のいずれか１項記載の冷蔵庫。
【発明の詳細な説明】
【技術分野】
【０００１】
本発明はインターネット等の通信網を利用した家電機器サービスシステムに好適な省エネ性の高い冷蔵庫に関するものである。
【背景技術】
【０００２】
一般にインターネット等の通信網を介して家電機器と情報をやり取りし、家電機器の利便性を向上させたシステムがみられる。例えば冷蔵庫をインターネットに接続し、故障内容をサービス業者に伝達して、的確な故障修理を可能にするようにしたものがみられる（例えば、特許文献１参照）。
【０００３】
このようなシステムに使用する機器としては冷蔵庫に限らず、他の家電品でも同様のものが多くみられる。そして、このような機器はいわゆるネット家電と称され、近年通信インフラの整備、携帯端末の進化を受けて、ますますの広がりを見せ、家庭内にある複数の家電機器にこのような通信機能が装備されていくことが予測される。
【先行技術文献】
【特許文献】
【０００４】
【特許文献１】特開２００２−２９５９３９号公報
【発明の概要】
【発明が解決しようとする課題】
【０００５】
上記のように家電機器の情報化が進められていく中において、一般に白物家電と呼ばれる機器は日常生活のなかで、老若男女に関わらず使用されることから、その使いやすさがとても重要視される。すなわち、単独の冷蔵庫がインターネットに接続されているだけであれば、使用性の問題はなく、そのサービスを十分に享受できる。しかしながら、家電の情報化が広まり複数の家電機器がインターネットに接続されてサービス対象となると、機器情報の双方向のやり取りの中で、対象の機器がどの固体を示しているのか、子供やお年寄りにはわかりづらく、使いにくいという課題が生じる。また、家庭内に２台の冷蔵庫を保有している場合などで、冷蔵庫の庫内温度設定を間違えて操作してしまうなどの問題も予見される。
【０００６】
また、セキュリティ面での対策も大きな課題となってくる。すなわち、非常に高度なセキュリティで保護されている行政機関などのシステムでもサイバー被害を受ける現実を考えると、家電機器の情報化により家庭内の機器と情報が被害にあう可能性は十分に考えられる。例えば、機器の情報が流出するリスクや機器を勝手に制御されてしまうリスクが存在する。様々なセキュリティ技術により防衛する手段が社会的に講じられているものの、特に機器を勝手に設定変更されたりすると製品の基本機能が損なわれる問題が発生する可能性がある。
【０００７】
そこで本発明者らは冷蔵庫本体にＲＦＩＤ（Ｒａｄｉｏ  Ｆｒｅｑｕｅｎｃｙ  ＩＤｅｎｔｉｆｉｃａｔｉｏｎ）タグを設け、このＲＦＩＤタグに携帯端末を近づけることによって、冷蔵庫本体と携帯端末との間でデータをやりとりし、携帯端末を経由してインターネット通信する冷蔵庫を考え、すでに提案した。
【０００８】
この冷蔵庫は、ＲＦＩＤタグという超近接通信を用いて通信を行うようにしたから、対象機器を間違って判別することがなく、一般的な無線通信を行うシステムのような固体判別の問題はなくなり、使用性が向上するとともに、携帯端末によってＲＦＩＤタグのデー
タを直接読み取るのでインターネットのような通信網を介して情報を読み取る場合のようなセキュリティの問題もなくなり、安全性も向上する。
【０００９】
加えて、冷蔵庫自体にインターネット通信のための通信機能等の高価な構成を付加しなくても携帯電話等の携帯端末を介してインターネットと接属し、サービスを提供することができる。
【００１０】
一方で、冷蔵庫は家庭の中で占める電力の使用割合が高く、その使用電力を可能な限り抑えることが強く要請されている。そのため、例えば扉の開閉回数や時間等を計測し、この扉開閉回数や時間が所定回数あるいは所定時間以上になると表示装置にその旨を表示したり、警告音を出すように構成し、使用者に扉開閉による電力使用量の増加を知らせて、扉開閉回数を少なくし、電力使用量を抑えるように啓蒙できるようにした構成のものがみられる。
【００１１】
しかしながら、前記従来の扉開閉に伴う電力消費を抑えるようにしたものは、扉開閉回数が所定回数以上になると初めてこれを知らせて扉開閉の低減を促すため、その報知が行われるまで使用者は扉開閉回数がどの程度になっているかを知ることができず、扉開閉回数を少なくして節電しようとする気持ちが起きなく、その点で節電啓蒙効果に今一歩の課題があった。
【００１２】
また、上記節電は使用者が節電行動、すなわち扉開閉回数を少なくする、或いは扉開き時間を短くする、というように、使用者の節電行動に頼った他力的な節電を行うものであり、十分な節電成果を得ることはできなかった。
【００１３】
しかるに最近は、原子力発電の安全性が見直され始め、その結果、原子力発電所を停止する等による電力不足が生じ、使用者による節電行動が高まっている中にあっても、なおかつ機器、すなわち冷蔵庫自体でも、さらなる節電動作を求められる厳しい時代になってきている。
【００１４】
本発明はこのような点に鑑みてなしたもので、高価な通信機能を付加することなく使用性とセキュリティ安全性の高いインターネット通信ができ、かつ、冷蔵庫自体の節電動作もより向上させて省エネ性の高い冷蔵庫を提供するものである。
【課題を解決するための手段】
【００１５】
前記課題を解決するために本発明は、携帯端末とＲＦＩＤ無線通信を行う冷蔵庫であって、携帯端末との間でＲＦＩＤ無線通信を行う無線送受信部と、扉開閉を検知する扉開閉検出部と、前記扉開閉検出部のカウント回数データ或いは扉開成時間の少なくともいずれか一方のデータを記憶する情報記憶部と、冷蔵庫の温度設定を制御する制御部とを備え、前記無線送受信部は前記情報記憶部のデータを携帯端末に送信するとともに、携帯端末から制御データを受信した場合には、前記制御部は前記制御データに基づいて制御内容を変更する構成としてある。
【００１６】
これにより、複数の家電機器の対象選択があっても、通信実施時には、必ず対象となる冷蔵庫にタッチする動作で機器近傍に携帯端末を持ち寄るので、子供やお年寄り等であっても対象を誤解することなく直感的に理解することができ、操作に迷うことがなく安心して使用でき、使いやすいとともに、インターネットを介在することなく冷蔵庫と携帯端末との間で直接データを送受信するためセキュリティの問題も発生することがなく、安全性も向上する。しかも、冷蔵庫自体に高価な通信機能を付加する必要もなく、安価に提供できる。加えて、使用者は扉の開閉回数に応じて携帯端末から制御データを送信し、冷蔵庫自体の運転が低消費電力運転となるように条件変更することができ、使用者による扉開閉
回数低減による節電と合わせて、大いなる省エネ効果が期待できる。
【発明の効果】
【００１７】
本発明は、ＲＦＩＤタグのような超近接の無線送受信部を用いて通信を行うようにしたから、対象機器を間違って判別することがなく、一般的な無線通信を行うシステムのような固体判別の問題はなくなり、使用性が向上するとともに、携帯端末によって無線送受信部のデータを直接読み取るのでインターネットのような通信網を介して情報を読み取る場合のようなセキュリティの問題もなくなり、安全性も向上する。しかも、冷蔵庫自体に高価な通信機能を付加する必要もなく、安価に提供できる。加えて、使用者は扉の開閉回数に応じて携帯端末から制御データを送信し、冷蔵庫自体の運転が低消費電力運転となるように条件変更することができ、これによって冷蔵庫自体が行う節電運転度合いが向上し、更に使用者による扉開閉回数低減による節電が合わさって、省エネ効果の高い冷蔵庫とすることができる。
【図面の簡単な説明】
【００１８】
【図１】本発明の実施の形態１における冷蔵庫の使用状態を示す正面図
【図２】同冷蔵庫の概略断面図
【図３】同冷蔵庫の概略平面断面図
【図４】同冷蔵庫の操作部を示す正面図
【図５】同冷蔵庫と携帯端末からなる家電機器サービスシステムの概略構成を示す制御ブロック図
【図６】同家電機器サービスシステムにおける動作を説明するフローチャート
【図７】同冷蔵庫の実施の形態２における冷蔵庫の説明図
【発明を実施するための形態】
【００１９】
第１の発明は、携帯端末とＲＦＩＤ無線通信を行う冷蔵庫であって、携帯端末との間でＲＦＩＤ無線通信を行う無線送受信部と、扉開閉を検知する扉開閉検出部と、前記扉開閉検出部のカウント回数データ或いは扉開成時間の少なくともいずれか一方のデータを記憶する情報記憶部と、冷蔵庫の温度設定を制御する制御部とを備え、前記無線送受信部は前記情報記憶部のデータを携帯端末に送信するとともに、携帯端末から制御データを受信した場合には、前記制御部は前記制御データに基づいて制御内容を変更する構成としてある。
【００２０】
これにより、複数の家電機器の対象選択があっても、通信実施時には、必ず対象となる冷蔵庫にタッチする動作で機器近傍に携帯端末を持ち寄るので、子供やお年寄り等であっても対象を誤解することなく直感的に理解することができ、操作に迷うことがなく安心して使用でき、使いやすいとともに、インターネットを介在することなく冷蔵庫と携帯端末との間で直接データを送受信するためセキュリティの問題も発生することがなく、安全性も向上する。しかも、冷蔵庫自体に高価な通信機能を付加する必要もなく、安価に提供できる。加えて、使用者は扉の開閉回数に応じて携帯端末から制御データを送信し、冷蔵庫自体の運転が低消費電力運転となるように条件変更することができ、使用者による扉開閉回数低減による節電と合わせて、大いなる省エネ効果が期待できる。
【００２１】
第２の発明は、第１の発明において、制御データは扉開閉検出部のカウント回数データ或いは扉開成時間等の冷蔵庫情報に基づくものとした構成としてあり、冷蔵庫の運転状況に合わせて最適な省エネ運転を実現することができる。
【００２２】
第３の発明は、第１の発明において、制御データは冷蔵庫が設置されている環境情報或いは使用者情報に基づくものとした構成としてあり、冷蔵庫の設置環境や使用者の予定に合わせて最適な省エネ運転を実現することができる。
【００２３】
第４の発明は、第２の発明において、冷蔵庫情報である扉開閉のカウント回数或いは扉開成時間の少なくともいずれか一方が多い時の制御データは設定温度を高目とするデータとしてある。
【００２４】
これにより、扉開閉回数が多い時は庫内温度が上昇しがちでその都度圧縮機が運転開始し消費電力が多くなりがちであるが、設定温度を高め設定に変更すれば庫内温度が扉開閉によって少々上昇しても圧縮機が運転するのを抑制することができ、電力消費を抑えることができる。
【００２５】
第５の発明は、第２または第４の発明において、冷蔵庫情報である扉開閉のカウント数或いは扉開成時間の少なくともいずれか一方が少ない時の制御データは設定温度を低目とするデータとしてある。
【００２６】
これにより、扉開閉数が多い時とは逆に扉開閉数が少ない時は、庫内温度上昇は少なく低温に維持されているから、少々設定温度を低目にしても圧縮機が運転するようなことはなく、逆にこの間に食品の温度を低目維持しておいて、扉開閉数が多くなった時、多少庫内温度が上昇しても食品温度は低く保持できるようになり、消費電力を上げることなく良好な食品冷却を維持することができる。
【００２７】
第６の発明は、第１〜第５の発明において、扉開閉検出部からの扉開閉回数あるいは開成時間の前日データを記憶する前日情報記憶部を更に備え、前記前日情報記憶部からの情報に基づき扉開閉が多くなる時間帯の所定時間前に設定温度を高目とする制御データを制御部に出力する構成としてある。
【００２８】
これにより、扉開閉が多くなって庫内温度が上昇しやすい時間帯の前に設定温度を下げて庫内温度を低目としておくことにより、扉開閉回数が多くなって庫内温度が少々上昇しても食品に与える影響は微小なものとすることができ、消費電力を上げることなく良好な食費冷却を維持することができる。
【００２９】
第７の発明は、第１〜第６の発明において、冷蔵庫の異常検出部を更に備え、前記異常検出部が異常を検出しているとき制御部は携帯端末から制御データを受信しても制御内容の変更を行わない構成としてある。
【００３０】
これにより、冷蔵庫に異常、例えば扉パッキンの損傷により庫内温度が何時まで経っても設定温度に達せず圧縮機が運転状態になり続けているような異常時に、扉の開閉が少ないということで設定温度を低目に変更して圧縮機をより大能力で運転させ続け、電力を無駄に浪費させてしまうような障害発生を未然に防止することができ、信頼性の高いものとすることができる。
【００３１】
以下、本発明の実施の形態について、図面を参照しながら説明する。なお、この実施の形態によって本発明が限定されるものではない。
【００３２】
（実施の形態１）
図１は本発明の実施の形態１における冷蔵庫の使用状態を示す正面図、図２は同冷蔵庫の概略断面図、図３は同冷蔵庫の概略平面断面図、図４は同冷蔵庫の操作部を示す正面図、図５は同冷蔵庫と携帯端末からなる家電機器サービスシステムの概略構成を示す制御ブロック図、図６は同家電機器サービスシステムにおける動作を説明するフローチャートである。
【００３３】
図において、１は冷蔵庫本体で、図２に示すように複数の貯蔵室２，３，４，５，６を備えている。この各貯蔵室は上から冷蔵室２、製氷室３及びその製氷室３の側方に位置する切換室４（冷凍室温度約―１８℃から野菜室温度約６℃まで切替え可能）、冷凍室５、野菜室６となっている。なお、そのレイアウトは必要に応じて適宜設定されるものである。
【００３４】
また、上記冷蔵庫本体１は、主に鋼板を用いた外箱１ａと、ＡＢＳなどの樹脂で成型された内箱１ｂと、外箱１ａと内箱１ｂとの間の空間に充填発泡された硬質ウレタンフォーム１ｃで構成されている。さらに必要に応じて部分的により断熱性能を高めるために真空断熱材１ｄを硬質ウレタンフォーム内に埋設して構成してある。例えば、図２に示すように、製氷室３と切換室４および冷凍室５に対応する背面部の空間内に真空断熱材１ｄを貼り付け、硬質ウレタンフォーム１ｃとの複合体としてある。
【００３５】
また冷蔵庫本体１の天面部は冷蔵庫の背面方向に向かって階段状に凹みを設けた形状とし、この階段状の凹部に機械室７を形成して、当該機械室７に、圧縮機８、水分除去を行うドライヤ（図示せず）等の冷凍サイクルの高圧側構成部品と冷蔵庫制御部ユニット（図示せず）を収容してあり、最下部の野菜室収納容積の拡大を図っている。
【００３６】
また冷凍サイクルの低圧側を構成する冷却器９は冷凍室５の後方に配置し、冷却ファン１０によって冷却器９で生成された冷気を強制送風して各貯蔵室２〜６を冷却するようになっている。
【００３７】
前記各貯蔵室２〜６はそれぞれに対応して設けた扉１１，１２，１３，１４，１５によって開閉されるようになっており、この各扉１１〜１５は手かけ部１６を有するとともに、冷蔵庫本体１と同様硬質ウレタンフォーム１ｃを充填発泡させて構成してある。そしてこれら各扉１１〜１５にはこれに対応して扉開閉検出部（構造を説明する図では図示せず）が設けてあり、その開閉回数と累計開成時間データが冷蔵庫制御部で処理されるようになっている。
【００３８】
ここで、この実施の形態の冷蔵庫は最上部に位置する冷蔵室２の扉は観音開き式扉としてあり、左右面積の異なる２枚の扉１１ａ、１１ｂで構成してある。そして、大きな面積を有する右側扉１１ｂは自動扉開閉機構１７によって扉表面を軽く押すだけで開く構成としてあり、図示しない扉開閉検出部でその開閉が検出されるように構成してある。また、上記右側扉１１ｂの端部には上下方向にわたって操作ユニット１８が設けてある。
【００３９】
上記の操作ユニット１８には図４に示すように各貯蔵室２〜６の温度設定等を行う静電タッチスイッチ式の設定スイッチ１９、及び設定スイッチ１９の上方に配置した設定状態表示部２０とともに、この冷蔵庫ではＲＦＩＤタグ等からなる無線送受信部２１が設けてある。この実施の形態では無線送受信部２１として使用するＲＦＩＤタグはパッシブタグ方式で通信距離が１００ｍｍ以内のものを用いている。
【００４０】
上記無線送受信部２１は携帯電話、スマートフォンやＰＤＡ等の携帯端末２２とデータの送受信を行うもので、例えば扉開閉回数あるいは扉開成累計時間等のデータを携帯端末２２に出力送信し、逆にインターネット通信経由で携帯端末２２に送られてくる設定温度等の制御データを携帯端末２２から無線送受信部２１が受信するようになっていて、簡易型の家電機器サービスシステムを構成している。
【００４１】
すなわち、上記無線送受信部２１は図１に示すように使用者が携帯端末２２を接近させると、無線送受信部２１と携帯端末２２との間でデータを送受信するとともに、無線送受信部２１からのデータは携帯端末２２の表示部（図１では図示せず）に表示するように構
成してある。
【００４２】
以下、その家電機器サービスシステムの構成を図５、図６を用いて説明する。図５は家電機器サービスシステムの概略構成を示す制御ブロック図、図６は同動作を説明するフローチャートである。
【００４３】
図５において、２３は前記した扉開閉検出部、２４は前記扉開閉検出部２３で検出した扉開閉回数をカウントする回数カウント部、２５はこの回数カウント部２４でカウントした回数を記憶する回数記憶部、２６は前記扉開閉検出部２３で検出した扉開閉時の扉開成時間を計測する時間計測部、２７は前記時間計測部２６で計測した時間を累計記憶する時間記憶部、２８は前記回数記憶部２５と時間記憶部２７を有する情報記憶部である。
【００４４】
そして２１が前述した無線送受信部で、扉開閉回数データや扉開成累計時間（扉を開いている間の累計時間）データを携帯端末２２に送信したり、携帯端末２２からの制御データを受信するもので、この実施の形態ではアンテナ２１ａを一体化したＲＦＩＤタグで構成してある。２９は近接通信検出部で、携帯電話、スマートフォンやＰＤＡ等の携帯端末２２が接近してデータ要求／制御信号送信するとこれを検出するもので、無線送受信部２１自体が具備しており、データ要求／制御信号送信を検出すると無線送受信部２１が誘電して動作するようになっている。したがって、前記無線送受信部２１は携帯端末２２を接近させ例えばデータ要求すると、近接通信検出部２９によって動作状態となり、上記回数記憶部２５および時間記憶部２７が記憶している最新の扉開閉回数及び扉累計開成時間等のデータをアンテナ２１ａより外部に送信することになる。
【００４５】
３０は前日情報記憶部で、前記情報記憶部２８で記憶している前日の扉開閉回数及び扉累計開成時間等のデータを更新記憶するものである。３１は異常検出部で、冷蔵庫の異常、例えば圧縮機が異常に長い時間運転し続けている、等の異常を検出するものである。この圧縮機が異常に長い間運転し続ける原因としては、例えば扉パッキンが損傷していて庫内温度が何時まで経っても設定温度に達しないようなことが考えられる。
【００４６】
３２は冷蔵庫の温度設定を制御する制御部で、無線送受信部２１がデータ要求信号を受信すると情報記憶部２８からの扉開閉回数及び扉開成累計時間データを取り込んで無線送受信部２１に送信させるとともに、前記無線送受信部２１が携帯端末２２から制御データを受信した際にはその制御データに基づいて冷蔵庫の制御内容、例えば冷却の設定温度を変更するように制御するものである。
【００４７】
一方、携帯端末２２はこの実施の形態では一般的な携帯電話を用いており、周知の如く近接通信を行う第１通信部３３とそのアンテナ３３ａ及び通話およびインターネット通信用の第２通信部３４とそのアンテナ３４ａ、これらの通信部を制御する第１通信制御部３５、第２通信制御部３６、表示制御部３７等からなる携帯制御部３８、液晶ディスプレイ等の表示部３９、タッチスイッチ等の操作部４０、記憶部４１等からなる。
【００４８】
そして、この携帯端末２２は操作部４０の操作によって第１通信制御部３５による近接通信に切り替えると、データ要求信号を相手方に送信して相手方からのデータを受信可能にするとともに、表示制御部３７が表示部３９の表示を切り替えて第１通信部３３により受信したデータを表示部３９に表示させる。すなわち第１通信部３３のアンテナ３３ａを冷蔵庫の無線送受信部２１に近づけることによって無線送受信部２１からの扉開閉回数等のデータを受信し、表示部３９に表示することができる。
【００４９】
また、この携帯端末２２は普通の携帯電話と同様に第２通信部３４によってインターネット回線（図示せず）を介して各種データを取り込めるようになっており、そのうちの一
つに本発明が関係する冷蔵庫の制御データ、例えば設定温度データを取り込み、冷蔵庫の無線送受信部２１に送信できるようになっている。
【００５０】
上記構成において、以下その動作を図６の制御フローを用いながら説明する。まず、使用者が食品の出し入れのために冷蔵庫の扉、例えば冷蔵室２の右側扉１１ｂを開成すると、ステップ１において扉開閉検出部２３が扉開閉を検出し、ステップ２において回数カウント部２４が回数をカウントし、回数記憶部２５に記憶するとともに、時間記憶部２７が扉開成時間を累計記憶していく。
【００５１】
そしてステップ３において、近接通信検出部２９がデータ要求されているか否かを確認し、要求がなければ後述する制御データ有無、異常有無等の確認ステップを経由してステップ４で１日（２４ｈ）が経過したかを確認し、経過していなければステップ１にもどるとともに、経過すれば前日情報記憶部３０に扉開閉回数データと扉開成累計時間データを記憶した後、ステップ５にてそれまで記憶していた扉開閉回数をリセットし、ステップ１に戻る。
【００５２】
このような状態で使用者が携帯端末２２のアンテナ３３ａ部分を冷蔵庫扉の無線送受信部２１に近づけデータ要求信号を送信する（ステップ６）と、近接通信検出部２９がステップ３でこれを検出し無線送受信部２１が動作を開始し、無線送受信部２１がステップ７で回数記憶部２５、時間記憶部２７に記憶している扉開閉回数及び扉開成累計時間データを取得し、ステップ８においてそのデータを送信する。これにより携帯端末２２はステップ９でそのデータを受信し、ステップ１０においてそのデータを携帯端末２２の表示部３９に表示する。
【００５３】
このようにこの実施の形態における冷蔵庫は、対象機器となる冷蔵庫自体に直接、携帯端末２２を近づけてデータを取得するので、複数の対象冷蔵庫があっても、通信実施時には、必ず対象となる冷蔵庫にタッチする動作で携帯端末を持ち寄ることになるので、子供等であっても対象を誤解することがなく直感的に理解することができ、操作に迷うことなく安心して使用でき、使いやすいとともに、インターネットを介在することなく対象冷蔵庫と携帯端末で直接データを受信するためセキュリティの問題も発生することがなく、安全性も向上する。
【００５４】
また、使用者は携帯端末２２の表示部３９を見ることによって扉開閉回数及び扉開成累計時間を知ることができ、例えばその回数あるいは時間が多い時には以降の扉開閉回数を少なくしようと気をつけて節電が促進されることになる。また、冷蔵庫は使用者に扉開閉回数及び扉開成累計時間等を知らせるための表示電力を必要とせず、その分更に節電でき、冷蔵庫の省エネルギー化が向上する。すなわち、この冷蔵庫は上記扉開閉回数及び扉開成累計時間を携帯端末２２の表示部３９を介して知ることができるから、冷蔵庫自体はその扉開閉回数及び扉開成累計時間を表示するための電力を一切消費することがなく、その分省エネルギー化が進むことになる。
【００５５】
さらにこの実施の形態では冷蔵庫側に近接通信検出部２９を備えていて当該近接通信検出部２９がデータ要求／制御信号送信されていることを検出した場合のみ無線送受信部２１が誘電してデータを送信するので、無線送受信部２１が電力を消費することもなく、その分さらなる省エネルギー化が図れる。
【００５６】
一方、携帯端末２２が上記のようにして取得した扉開閉回数及び扉開成累計時間データは、使用者が携帯電話と同様インターネット回線を介して所定の場所、例えば省エネサービスセンター等の業者や出勤中の親等に送信することができる。
【００５７】
従って、例えば省エネサービスセンター等の業者は、携帯端末２２から送信されてきた扉開閉回数及び扉開成累計時間データを見て、携帯端末２２に冷蔵庫の制御データ、例えば庫内冷却温度の設定温度データを送信することができる。
【００５８】
上記設定温度データを受け取った使用者は、再度、携帯端末２２を冷蔵庫の無線送受信部２１に近接させ、ステップ１１で制御信号を送信すると、無線送受信部２１が前記と同様にして動作状態となって、ステップ１２で制御信号有か否かを確認する。確認の結果、有であると次のステップ１３で異常検出部３１が異常を検出していないかを確認し、異常であれば何もせずにステップ４へと移行するが、異常なしであればステップ１４で冷蔵庫の設定温度を携帯端末２２から送信されてきた制御データである設定温度に更新する。
【００５９】
この設定温度の更新は扉開閉回数及び扉開成累計時間データの状況によって次のようになる。
【００６０】
すなわち、その一つとしては、扉開閉回数及び扉開成累計時間が多い時の制御データは、設定温度を高目とするデータとしてある。これにより、扉開閉回数が多い時は庫内温度が上昇しがちでその都度圧縮機が運転開始し消費電力が多くなりがちであるが、設定温度を高め設定に変更すれば庫内温度が扉開閉によって少々上昇しても圧縮機が運転するのを抑制することができ、電力消費を抑えることができる。
【００６１】
また、扉開閉回数及び扉開成累計時間が少ない時の制御データは、設定温度を低目とするデータとしてある。これにより、扉開閉数が多い時とは逆に扉開閉数が少ない時は、庫内温度上昇は少なく低温に維持されているから、少々設定温度を低目にしても圧縮機が運転するようなことはなく、逆にこの間に食品の温度を低目維持しておいて、扉開閉回数が多くなった時、多少庫内温度が上昇しても食品温度は低く保持できるようになり、消費電力を上げることなく良好な食品冷却を維持することができる。
【００６２】
以上のようにしてこの冷蔵庫は、扉の開閉回数及び扉開成累計時間等の冷蔵庫情報に応じて携帯端末から制御データを送信し、冷蔵庫自体の運転が低消費電力運転となるように条件変更することができ、携帯端末２２の表示部３９へ扉開閉回数及び扉開成累計時間表示して節電啓蒙した使用者による扉開閉回数低減による節電と合わせて、大きな省エネ効果が期待できる。
【００６３】
またこの実施の形態の冷蔵庫では、扉開閉検出部２３からの扉開閉回数あるいは扉開成時間の前日データを記憶する前日情報記憶部３０を備えており、前記前日情報記憶部３０からの情報に基づき扉開閉が多くなる時間帯の所定時間前に設定温度を高目とする制御データを制御部３２に出力する。これにより、制御部３２は設定温度を所定時間前に低目に変更する。
【００６４】
このように、扉開閉が多くなって庫内温度が上昇しやすい時間帯の前に設定温度を下げて庫内温度を低目としておくことにより、扉開閉回数が多くなって庫内温度が少々上昇しても食品に与える影響は微小なものとすることができ、消費電力を上げることなく良好な食費冷却を維持することができる。
【００６５】
更にこの冷蔵庫は冷蔵庫の異常検出部３１を備えており、前記異常検出部３１が異常を検出しているとき、制御部３２は携帯端末から制御データを受信しても前記した如く制御内容の変更を行わない構成としてある。
【００６６】
これにより、冷蔵庫に異常、例えば扉パッキンの損傷により庫内温度が何時まで経っても設定温度に達せず圧縮機が運転状態を続けているような異常時に、扉の開閉が少ないと
いうことで設定温度を低目に変更して圧縮機をより大能力で運転させ続け、電力を無駄に浪費させてしまうような障害発生を未然に防止することができる。
【００６７】
なお、この実施の形態の冷蔵庫では上記無線送受信部２１を冷蔵庫最上位となる貯蔵室２の扉、すなわち、複数ある貯蔵室のうち最上部の扉に設けてあるから、下部に位置する扉に無線送受信部２１を設けた場合のような障害、すなわち、無線送受信部２１を設けた扉より上の扉を開けた時に漏れ落ちてくる冷気が無線送受信部２１に触れてその表面に結露が生じ、通信状態の劣化や部品信頼性の低下等の障害を引き起こすことがない。したがって、携帯端末２２との間で正確かつ確実に扉開閉回数及び時間のやり取りを行うことができ、品質の高い冷蔵庫とすることができるとともに使用者は安心して使用することができる。
【００６８】
また、上記無線送受信部２１は複数ある貯蔵室のうちの冷蔵室２に対応する扉に設けてあり、この冷蔵室２は製氷室３や冷凍室５よりも庫内温度が高いので庫内冷気による影響を少なく抑えることができる。したがって、無線送受信部２１の表面と内部の温度差は小さく抑えられ、結露が発生するのを抑制することができ、通信状態の劣化や部品信頼性の低下等の障害を少なくすることができる。
【００６９】
更に、上記無線送受信部２１は右側扉１１ｂの端部に設けた操作ユニット１８に組み込んであり、使用者が日常的に行う扉への掲示物の張りつけがあってもその張りつけは扉中央部分になることが多く、扉端部に位置する無線送受信部２１の表面を覆ってしまうようなことは少ない。したがって、使用者は直接、携帯端末２２の無線送受信部２１に対向接近させることができ、掲示物の上から携帯端末２２を近づけることによって生じるデータ送受信ミスが少なくなるとともに、無線送受信部２１表面にかぶさる掲示物を払いのけて携帯端末を近づけるなどしなくてよく、確実な通信性能確保と使い勝手の向上が可能となる。
【００７０】
また、無線送受信部２１を設けた貯蔵室２の右側扉１１ｂはこれに対応して自動扉開閉機構１７を設けてあるから、キッチンで作業している使用者の手が水で濡れていてもこの水による無線送受信部の障害を少なくすることができる。すなわち、使用者は扉に軽くタッチするだけでよくなるため、扉開閉時に扉表面に付着する水滴は極めて微量か付着しない状態となり、無線送受信部２１に携帯電話等の携帯端末２２を接近させるときに、この扉表面に付着した水滴が無線送受信部２１自体やこの無線送受信部２１に接近させる携帯端末２２に付着して、これを汚したり濡らしたりする不具合を防止することができ、通信状態の劣化や部品信頼性の低下等の障害をより少なくすることができる。
【００７１】
（実施の形態２）
図７は実施の形態２を示し、この実施の形態２は携帯端末２２の表示部３９が兼ねていた表示部４３を冷蔵庫本体１の扉１１ｂに専用に設けたもので、情報記憶部２８からの扉開閉回数及び扉開成累計時間データを表示するように構成してある。
【００７２】
したがって、この実施の形態２においても先の実施の形態１と同様、使用者はこの表示部４３を見ることによって扉開閉回数及び扉開成累計時間を知ることができ、その回数が多い時には以降の扉開閉回数を少なくしようと気をつけて節電が促進されることになる。その他の構成及び動作は実施の形態１と同様であり、説明は割愛する。
【００７３】
以上のようにこの実施の形態で説明した冷蔵庫は、使用性と安全性が向上し、かつ、安価で省エネ効果の高い冷蔵庫とすることができるものであるが、上記実施の形態で説明したものは本発明を実現する一形態であり、本発明の目的達成範囲内であれば種々変更可能である。
【００７４】
例えば、制御データは携帯端末２２から送信されてくる扉開閉回数等の冷蔵庫情報に基づくものを例にして説明したが、次のように冷蔵庫情報ではなく環境情報或いは使用者情報に基づいて制御データを生成或いは送信するように展開することも可能である。
【００７５】
具体的には、使用者がインターネットを介して携帯端末２２で取り込んだ環境情報、例をあげれば天気情報（晴れ／曇り／雨等）、温度情報（高い／低い等）、ＧＰＳ位置情報（北海道等の寒冷地区／本州等の温暖地区／沖縄当の熱帯地区等）等の環境情報を取り込んで携帯端末２２から無線送受信部２１に送信すると、この環境情報に対応した設定温度等の制御データをあらかじめ冷蔵庫制御部内のメモリーに記憶させてある制御データ群の中から選択して、当該選択した設定温度（制御データ）に庫内温度を変更し省エネ性を向上させるように構成することもできる。なお、上記設定温度等の制御データは、冷蔵庫制御部内のメモリーではなく携帯端末２２内のメモリーに記憶、或いはインターネットを介してホストコンピュータから取り込むようにしてもよいものである。
【００７６】
また、使用者情報としては使用者の予定が考えられ、例えば携帯電話等の携帯端末２２であれば、当該携帯端末のカレンダーに使用者の行動予定（外出、旅行、休日等）を書き込み記憶させているので、この行動予定等の使用者情報と組み合わせて制御データを変更させるようにすることも考えられる。
【００７７】
そして上記冷蔵庫情報や環境情報、使用者情報を適宜組み合わせて構成することも考えられるものである。
【００７８】
このように環境情報や使用者情報に基づく制御データを用いる構成にすれば、冷蔵庫の設置環境や使用者の予定に合わせて最適な省エネ運転を実現することができる。
【００７９】
また、上記実施の形態においては無線送受信部２１から携帯端末２２に送信する冷蔵庫情報データは節電啓蒙のための扉開閉回数と扉開成累計時間の両方としたが、これはいずれか一方でもよいし他のデータを更に含むものであってもよいものである。また上記データは携帯端末２２の表示部３９に表示する形としたが、音声で報知する形態とすることも考えられる。
【産業上の利用可能性】
【００８０】
以上のように本発明は、使用性とセキュリティ安全性が高く、かつ、安全で省エネ性の高い冷蔵庫を提供することができ、家庭及び業務用に幅広く展開できる。
【符号の説明】
【００８１】
１  冷蔵庫本体
７  機械室
８  圧縮機
９  冷却器
１０  冷却ファン
１６  手かけ部
１７  自動扉開閉機構
１８  操作ユニット
１９  設定スイッチ
２０  設定状態表示部
２１  無線送受信部
２２  携帯端末
２３  扉開閉検出部
２４  回数カウント部
２５  回数記憶部
２６  時間計測部
２７  時間記憶部
２８  情報記憶部
２９  近接通信検出部
３０  前日情報記憶部
３１  異常検出部
３２  制御部
３３  第１通信部
３４  第２通信部
３５  第１通信制御部
３６  第２通信制御部
３７  表示制御部
３８  携帯制御部
３９，４３  表示部
４０  操作部
４１  記憶部
【図１】
2013238343.tif 000003
【図２】
2013238343.tif 000004
【図３】
2013238343.tif 000005
【図４】
2013238343.tif 000006
【図５】
2013238343.tif 000007
【図６】
2013238343.tif 000008
【図７】
2013238343.tif 000009